(57)【特許請求の範囲】
【請求項１】
缶体１の内部に配置した燃焼室２と、缶体１に隣接する排気室３と、該排気室３に接続されて燃焼室２内の燃焼ガスが通過する排気路４を内部に備えた消音器６とを設けた石油給湯機において、
前記消音器６内に配置した吸音材５は、複数の吸音材５ａ・５ｂ・・・を同方向に重ねて構成して前記消音器６内に充填されており、
前記消音器６内の複数の吸音材５ｂ・５ｃ・・・には長孔４ｂ・４ｃもしくは透孔４ｄ・４ｅ・・・を設け、この長孔４ｂ・４ｃもしくは透孔４ｄ・４ｅ・・・は、複数の吸音材５ａ・５ｂ・・・を重ね合わせたときに燃焼室２側の燃焼ガスの流入口７から排気室３の排気口８に連通して、前記排気路４を形成すると共に、
前記消音器６内に重ね合わせて充填する吸音材５は、重ね合わせの両端に位置し、前記長孔４ｂ・４ｃもしくは透孔４ｄ・４ｅ・・・を備えていない無孔の吸音材５ａと、この無孔の吸音材５ａと隣接した内側に配置されて前記長孔４ｂ・４ｃの配置位置が異なる吸音材５ｂ・５ｃと、前記長孔４ｂ・４ｃを備えた吸音材５ｂ・５ｃの内側で多数枚重ね合わせて構成され、前記長孔４ｂ・４ｃと連通できる複数個の透孔４ｄ・４ｅ・・・を備えた同一形状の吸音材５ｄ・５ｅ・・・と、によって形成され、
重ね合わせた前記吸音材５ｄ・５ｅ・・・の前記透孔４ｄ・４ｅ・・・で構成した排気路４には、前記燃焼ガスの流入口７と排気室３の排気口８とを構成する開口部を設けたことを特徴とする消音器内に吸音材を充填した石油給湯機の消音構造。
【請求項２】
缶体１の内部に配置した燃焼室２と、缶体１に隣接する排気室３と、該排気室３に接続されて燃焼室２内の燃焼ガスが通過する排気路４を内部に備えた消音器６とを設けた石油給湯機において、
前記消音器６内に配置した吸音材５は、複数の吸音材５ａ・５ｂ・・・を同方向に重ねて構成して前記消音器６内に充填されており、
前記消音器６内の複数の吸音材５ｂ・５ｃ・・・には長孔４ｂ・４ｃもしくは透孔４ｄ・４ｅ・・・を設け、この長孔４ｂ・４ｃもしくは透孔４ｄ・４ｅ・・・は、複数の吸音材５ａ・５ｂ・・・を重ね合わせたときに燃焼室２側の燃焼ガスの流入口７から排気室３の排気口８に連通して、前記排気路４を形成すると共に、
前記透孔４ｄ・４ｅ・・・を有する複数の吸音材５ｄ・５ｅ・・の外側に前記長孔４ｂ・４ｃを有する吸音材５ｂ・５ｃを配置し、その吸音材５ｂ・５ｃの外側に配置した吸音材５ａの片方には透孔を設け、前記外側に配置した吸音材５ａの片方の透孔を貫通する多数の小孔をあけた筒体９を平板１０に立設して設け、前記吸音材５ｂ・５ｃ・・・は長孔４ｂ・４ｃ及び透孔４ｄ・４ｅ・・・を前記筒体９に挿通しながら平板１０に重ねることを特徴とする消音器内に吸音材を充填した石油給湯機の消音構造。
【請求項３】
缶体１の内部に配置した燃焼室２と、缶体１に隣接する排気室３と、該排気室３に接続されて燃焼室２内の燃焼ガスが通過する排気路４を内部に備えた消音器６とを設けた石油給湯機において、
前記消音器６内に配置した吸音材５は、複数の吸音材５ａ・５ｂ・・・を同方向に重ねて構成して前記消音器６内に充填されており、
前記消音器６内の複数の吸音材５ｂ・５ｃ・・・には長孔４ｂ・４ｃもしくは透孔４ｄ・４ｅ・・・を設け、この長孔４ｂ・４ｃもしくは透孔４ｄ・４ｅ・・・は、複数の吸音材５ａ・５ｂ・・・を重ね合わせたときに燃焼室２側の燃焼ガスの流入口７から排気室３の排気口８に連通して、前記排気路４を形成すると共に、
複数の吸音材５ａ・５ｂ・・・の側面には形状を異にする切欠き部１１を設け、該吸音材５ａ・５ｂ・・・を重ね合わせたときに前記吸音材５の側面の切欠き部１１が連続して変化する溝を形成することを特徴とする消音器内に吸音材を充填した石油給湯機の消音構造。
【発明の詳細な説明】
【０００１】
【産業上の利用分野】
この発明は石油給湯機における消音構造の改良に関するものである。
【０００２】
【従来の技術】
灯油などの液体燃料をノズルから圧力噴霧し、霧状燃料に着火燃焼させる圧力噴霧バーナを用いた給湯機が多用されており、バーナの比較的大きい騒音を和らげる為に消音器が用いられている。
【０００３】
消音器の構造として、ロックウールやセラミックウール等の軟らかい吸音物質に音のエネルギーを吸収する抵抗方式や、排気路を構成する管路に大小の透孔を多数穿って、通過する音と音とを干渉させる共鳴方式とが主に知られている。
【０００４】
特にロックウール等の吸音物質を用いた消音構造は、吸音物質が微細な連続気孔を大量に持った軟らかい繊維であるので加工性や吸音性能が非常に良く、また、一般建材等に広く使用されている為に比較的入手しやすく安価にできる特徴があり、吸音物質を用いた消音構造が最も多く利用されている。
【０００５】
【発明が解決しようとする課題】
ところで、最近では生活環境の変化によるお湯の使用量の増加や、密集傾向にある住宅事情による設置スペースの減少によって、給湯機の高出力化・省スペース化が進んでおり、この給湯機の高出力化に比例して音エネルギーも増加するものとなっていた。
【０００６】
このように増加する音エネルギーに対応する為には吸音面積を多くする必要があるが、排気路の距離を長くしたり、内装する吸音材を増やそうとすると消音器を大きくしなければならず、小型化された給湯機の限られたスペースの中で実現するのは非常に困難になっている。
【０００７】
この為の対策として、消音器の内部が上下に分割された複数の部屋で構成されるように吸音材を組み合わせ、限られたスペースの中であっても排気路を長くすることによって吸音効果の向上を狙ったものがある。しかし、この構造では個々の吸音材の大きさにばらつきがあり、材質の軟らかい吸音材の組み合わせだけでは強度が弱い為に補強部材が必要となり、部品数や組立て工程が増加して生産性が悪くなる欠点があった。
【０００８】
【課題を解決するための手段】
この発明は上記の課題を解決するもので、缶体１の内部に配置した燃焼室２と、缶体１に隣接する排気室３と、該排気室３に接続されて燃焼室２内の燃焼ガスが通過する排気路４を内部に備えた消音器６とを設けた石油給湯機において、前記消音器６内に配置した吸音材５は、複数の吸音材５ａ・５ｂ・・・を同方向に重ねて構成して前記消音器６内に充填されており、前記消音器６内の複数の吸音材５ｂ・５ｃ・・・には長孔４ｂ・４ｃもしくは透孔４ｄ・４ｅ・・・を設け、この長孔４ｂ・４ｃもしくは透孔４ｄ・４ｅ・・・は、複数の吸音材５ａ・５ｂ・・・を重ね合わせたときに燃焼室２側の燃焼ガスの流入口７から排気室３の排気口８に連通して、前記排気路４を形成すると共に、前記消音器６内に重ね合わせて充填する吸音材５は、重ね合わせの両端に位置し、前記長孔４ｂ・４ｃもしくは透孔４ｄ・４ｅ・・・を備えていない無孔の吸音材５ａと、この無孔の吸音材５ａと隣接した内側に配置されて前記長孔４ｂ・４ｃの配置位置が異なる吸音材５ｂ・５ｃと、前記長孔４ｂ・４ｃを備えた吸音材５ｂ・５ｃの内側で多数枚重ね合わせて構成され、前記長孔４ｂ・４ｃと連通できる複数個の透孔４ｄ・４ｅ・・・を備えた同一形状の吸音材５ｄ・５ｅ・・・と、によって形成され、重ね合わせた前記吸音材５ｄ・５ｅ・・・の前記透孔４ｄ・４ｅ・・・で構成した排気路４には、前記燃焼ガスの流入口７と排気室３の排気口８とを構成する開口部を設けたものである。
【０００９】
また、多数の小孔をあけた筒体９を立設した平板１０を設け、前記吸音材５ｂ・５ｃ・・・は長孔４ｂ・４ｃ及び透孔４ｄ・４ｅ・・・を筒体９に挿通しながら平板１０に重ねるようにすれば、吸音材５がばらばらになったり、長孔４ｂ・４ｃや透孔４ｄ・４ｅ・・・の位置がずれることがなく、取り扱いやすい吸音材５を構成できたものである。
【００１０】
また、複数の吸音材５ａ・５ｂ・・・にはそれぞれ切欠き部１１を設け、該吸音材５ａ・５ｂ・・・を重ねて構成される吸音材５の側面には切欠き部１１が連続して溝を形成するようにすれば、切欠き部１１が連続して形成されない時は内部の透孔４ａや長孔４ｂ・４ｃが正しく連通していないことがすぐにわかるから、吸音材５の組間違えをなくすことができるものとなった。
【００１１】
【作用】
この発明では、複数の吸音材５ａ・５ｂ・・・を重ねて吸音材５を構成した時、吸音材５の内部では長孔４ｂ・４ｃと透孔４ｄ・４ｅ・・・とが連通して排気路４が形成されるものであり、この時の長孔４ｂ・４ｃや透孔４ｄ・４ｅ・・・の数や大きさ、配置を変更することによって排気路４の長さや形状を自由に変更することができるものとなっている。
【００１２】
この為、消音器６の大きさを変更しなくても排気路４を長く形成することができるので、燃焼音が排気路４を通過する間に従来では吸収しきれなかった音を吸収することができるものとなった。
【００１３】
また、吸音材５ａ・５ｂ・・・は大きさと形状を揃えることができ、この吸音材５ａ・５ｂ・・・を重ねる構成であれば接触面積が広くなって確実に接合されるので、吸音材５のみの組合わせでも十分な強度を得ることができるものとなった。
【００１４】
また、多数の小孔をあけた筒体９を立設した平板１０を吸音材５の一方の端に配置し、吸音材５ｂ・５ｃ・・・を長孔４ｂ・４ｃ及び透孔４ｄ・４ｅ・・・とを筒体９に挿通しながら重ねるようにすれば、吸音材５は筒体９で保持されてばらばらになることがなく、簡単に組立てることができるものとなった。
【００１５】
更に、吸音材５ａ・５ｂ・・・には切欠き部１１が設けてあり、吸音材５の側面に切欠き部１１が連続して形成されるように吸音材５ａ・５ｂ・・・を重ねていけば長孔４ｂ・４ｃや透孔４ｄ・４ｅ・・・が正しく連通されるので、吸音材５の組み間違えをなくすことができるものである。
【００１６】
【実施例】
図に示す貯湯式の石油給湯機の実施例によってこの発明を説明すると、１２は石油給湯機の外胴、１は外胴１２内に設置した上下密閉構造の水室を形成する缶体、２は缶体１の内部に配置した燃焼室、１３は燃焼室２内にのぞませたバーナであり、バーナ１３の火炎を燃焼室２に吹き込んでいる。
【００１７】
３は缶体１の上面板１ａに隣接して設けた排気室、１４は燃焼室２と缶体１の上面板１ａとに接続する煙道パイプ、４は排気室３に接続した排気路であり、燃焼室３の燃焼ガスは煙道パイプ１４を通って排気室２に送られ、排気路４から室外に排気されている。
【００１８】
１５は缶体１の下部側壁に開口する給水管、１６は缶体１の上部側壁に開口する出湯管であり、給水管１５から缶体１内に給水し、バーナ１３の熱によって温水に変え、出湯管１６から温水を出湯している。
【００１９】
５はロックウール・グラスウール・セラミックウールなどの微細な連続気孔を大量に持つ繊維で構成した断熱を兼用する吸音材、６は内部に吸音材５を収納して排気路４を囲むように配置された消音器であり、燃焼ガスにのって燃焼室２から排気室３に送られた音エネルギーが排気路４に進み、排気路４を通過する間に吸音材５で音の周波数成分が吸収されて音を減衰しながら排気されている。
【００２０】
ところで、最近の石油給湯機は高出力でなおかつ小型のものが増加しており、高出力化に比例して増加する音エネルギーへの対策が必要となるが、小型化された給湯機では外胴１２内部のスペースが限られているので、消音器６を拡大させずにできる限り排気路４を長く形成する工夫が必要となる。
【００２１】
従来例を示す図５は排気路４の距離が長くなるように吸音材５を多数組み合わせたものであり、排気路４は上下に分割された複数の部屋によって構成され、排気室３から外胴１２の側壁側に伸びて上方の部屋に向けられて排気室３側に伸び、更にその上方の部屋から再び外胴１２の側壁側に伸びて排気口に向かうものであり、消音器６の大きさを変更することなく吸音面積を増やすことができるようになっている。
【００２２】
しかし、上記のように吸音材５を多数組み合わせて内部に空間を形成する構造では、個々の吸音材５の大きさにばらつきがあり、軟らかい材質の吸音材５を組み合わせただけでは十分な強度を得にくいので、金属薄板などで構成した補強部材を吸音材５の接合部に配置しなければならなかった。この為、部品数の増加や組立て工程に手間がかかるものとなり、生産性が悪い欠点があった。
【００２３】
この発明は上記の課題を解決するもので、吸音材５を複数の吸音材５ａ・５ｂ・・・を重ねて構成したものであり、４ｂ・４ｃは吸音材５ｂ・５ｃに設けた長孔、４ｄ・４ｅ・・・は吸音材５ｄ・５ｅ・・・に設けた透孔であり、吸音材５は両端に吸音材５ａを配置し、該吸音材５ａの内側にそれぞれ吸音材５ｂ・５ｃを配置し、吸音材５ｂ・５ｃの間に吸音材５ｄ・５ｅ・・・を配置した構成となっている。
【００２４】
吸音材５の内部には長孔４ｂ・４ｃと透孔４ｄ・４ｅ・・・とが連通して排気路４が形成されており、長孔４ｂ・４ｃ及び透孔４ｄ・４ｅ・・・の数や大きさ、配置を変更することによって排気路４の形状や長さを自由に選択することができ、消音器６の大きさを変えなくても排気路４の距離を長くすることができるものである。
【００２５】
７は吸音材５の側壁に開口した燃焼ガスの流入口、８は排気口であり、流入口７と排気口８は吸音材５内の排気路４とそれぞれ連通し、吸音材５は流入口７が排気室３に連通するように設置されている。
【００２６】
具体的な実施例として、吸音材５ｂ・５ｃの間には吸音材５ｄ・５ｅ・５ｆが配置され、該吸音材５ｄ・５ｅ・５ｆには透孔４ｄ・４ｅ・４ｆがそれぞれ３箇所に配置されており、流入口７から透孔４ｄ・４ｅ・４ｆを経て長孔４ｃに連通し、長孔４ｃから透孔４ｆ・４ｅ・４ｄを経て長孔４ｂに連通し、更に長孔４ｂから透孔４ｄ・４ｅ・４ｆを経て排気口８に連通している。
【００２７】
このように吸音材５の内部に形成される排気路４の距離を長くすれば吸音面積を多く確保できるので、音エネルギーが排気路４を通過する間に従来では吸収しきれなかった音を吸収することができるようになり、消音器６の大きさを変更しなくても給湯機の静音化が実現できるものとなった。
【００２８】
更に、吸音材５ａ・５ｂ・・・は大きさと形状を揃えた平板状に構成することができ、この吸音材５ａ・５ｂ・・・を重ねた時には接触面積が十分確保されて確実に接合することができるので、吸音材５全体の強度が向上するものとなった。
【００２９】
また、図４に示す他の実施例において、９は側面に多数の小孔をあけた筒体、１０は筒体９を取付ける平板であり、筒体９は吸音材５ｄ・５ｅ・５ｆの透孔４ｄ・４ｅ・４ｆ及び吸音材５ｂ・５ｃの長孔４ｂ・４ｃを貫通できるように配置してある。
【００３０】
そして、吸音材５ｂ・５ｃ・・・を透孔４ｄ・４ｅ・４ｆと長孔４ｂ・４ｃとを筒体９に挿通しながら平板１０に重ねていくと、吸音材５ｂ・５ｃ・・・は筒体９によって位置を固定されるので、組立ての途中でばらばらになったり、内部の透孔４ｄ・４ｅ・４ｆや長孔４ｂ・４ｃの位置がずれたりすることがなく、複数の吸音材５ｂ・５ｃ・・・を確実に固定して非常に取扱いやすい吸音材５を構成できるようになった。
【００３１】
また、吸音材５ａ・５ｂ・・・は外観形状がほとんど同じである為に組立て時に配置や向きを間違えてもわかりにくく、組間違えた時には内部の排気路４が正しく形成されないので、そのまま排気室３に取付けてしまった時には音エネルギーを吸収できずに騒音が大きくなるだけでなく、排気がうまくできずに燃焼不良を起こす恐れがある。
【００３２】
１１は吸音材５ａ・５ｂ・・・に設けた切欠き部であり、該切欠き部１１は吸音材５ａ・５ｂ・・・を重ねた時に連続して吸音材５の側面に溝を形成するように配置してある。図に示す実施例では、切欠き部１１はそれぞれ幅を変えて設けてあり、吸音材５を重ねた時に片側が斜めに拡がりながら連続するようになっている。
【００３３】
この構成であれば、切欠き部１１が連続するように吸音材５ａを重ねれば内部の長孔４ｂ・４ｃと透孔４ｄ・４ｅ・・・とを正確に連通させることができるから、簡単に組立てができると共に、吸音材５の組間違えをなくすことができるものとなった。
【００３４】
なお、複数の吸音材５ａ・５ｂ・・・を密度や材質を異ならせたり、圧縮面の目の形状を縦目・横目と異ならせたもので構成すれば、音エネルギーが排気路４を通過する間に吸音材５ａ・５ｂ・・・によって異なる周波数成分を吸収することができるようになるので、静音化をより確実にできるものとなる。
【００３５】
【発明の効果】
以上のようにこの発明では、複数の吸音材５ａ・５ｂ・・・を重ねて吸音材５を構成した時に、長孔４ｂ・４ｃと透孔４ｄ・４ｅ・・・とが連通して吸音材５の内部に排気路４が形成されるものであり、組立工程が少なく簡単な構造で吸音材５を構成できるものとなった。
【００３６】
また、吸音材５ａ・５ｂ・・・の大きさと形状を揃えることができ、吸音材５ａ・５ｂ・・・を重ねた時の接触面積が広くなり確実に接合することができるので、吸音材５全体の強度が向上して取り扱いやすくなったものである。
【００３７】
更に、吸音材５に設ける透孔４ａや長孔４ｂ・４ｃの数や大きさ、配置を変更することによって排気路４を自由にレイアウトできるので、製品の能力や種類によって形状や取付けスペースに違いがあっても対応しやすく、使い勝手が良くなったものである。
【００３８】
また、吸音材５の内部に形成される排気路４の距離が長くなれば消音器６の大きさを変更しなくても吸音面積を増やすことができ、従来では吸収しきれなかった音を吸収して確実に静音化できるから、高出力化・小型化された給湯機にも確実に対応できる消音器６を提供できるものとなった。
【００３９】
また、平板１０に多数の小孔をあけた筒体９を立設し、吸音材５ａ・５ｂ・・・を長孔５ｂ・５ｃと透孔４ｄ・４ｅ・・・とを筒体９に挿通しながら重ねるようにすれば、組立ての途中で吸音材５がばらばらになったり、内部の長孔４ｂ・４ｃや透孔４ｄ・４ｅ・・・の位置がずれたりすることがなくなるから、非常に取り扱いやすく、生産性の向上を図ることができるようになった。
【００４０】
また、吸音材５を重ねた時、吸音材５の側面に連続する切欠き部１１によって溝が形成されるようにすれば、吸音材５が正しく配置されているか確認しながら組立てることができるから、吸音材５の組間違えをなくして排気路４を正確に形成できるものとなり、吸音材５を簡単に製造できるものとなった。
【図面の簡単な説明】
【図１】この発明の実施例を示す石油給湯機の断面図である。
【図２】この発明の実施例を示す吸音材の断面図である。
【図３】この発明の実施例を示す吸音材の斜視図である。
【図４】他の実施例を示す吸音材の断面図である。
【図５】従来例を示す吸音材の断面図である。
【符号の説明】
１    缶体
２    燃焼室
３    排気室
４    排気路
４ｂ  長孔
４ｃ  長孔
４ｄ  透孔
４ｅ  透孔
５    吸音材
５ａ  吸音材
５ｂ  吸音材
５ｃ  吸音材
５ｄ  吸音材
５ｅ  吸音材
６    消音器
７    流入口
８    排気口
９    筒体
１０    平板
【図１】
0004196547.tif 000002
【図２】
0004196547.tif 000003
【図３】
0004196547.tif 000004
【図４】
0004196547.tif 000005
【図５】
0004196547.tif 000006